(57)【要約】      （修正有）【課題】ごみを容易に排出し得る衣服のポケット構造を提供する。【解決手段】第１収容部を形成するための第１収容部形成用端部が衣服に直接又は間接的に取り付けられ、かつ下端部が開放された第１仕切体１１と、第２収容部を形成するための第２収容部形成用端部が前記第１収容部形成用端部よりも内側で第１仕切体に直接又は間接的に取り付けられ、かつ下端部が開放された第２仕切体１２と、第１仕切体および第２仕切体の双方の下端部を少なくとも覆うように配置された被覆体１３と、を備え、被覆体は、その左右端部が第１収容部形成用端部と重なる位置または第１収容部形成用端部よりも外側で衣服に直接または間接的に取り付けられると共に、その下端部が第１仕切体および第２仕切体の双方の下端部よりも下方において衣服に取り付けられている、衣服のポケット構造。【選択図】図１
2018095985.tif 000002
【特許請求の範囲】
【請求項１】
第１収容部を形成するための第１収容部形成用端部が衣服に直接又は間接的に取り付けられ、かつ下端部が開放された第１仕切体と、
第２収容部を形成するための第２収容部形成用端部が前記第１収容部形成用端部よりも内側で前記第１仕切体に直接又は間接的に取り付けられ、かつ下端部が開放された第２仕切体と、
前記第１仕切体および前記第２仕切体の双方の前記下端部を少なくとも覆うように配置された被覆体と、を備え、
前記被覆体は、その左右端部が前記第１収容部形成用端部と重なる位置または前記第１収容部形成用端部よりも外側で前記衣服に直接または間接的に取り付けられると共に、その下端部が前記第１仕切体および前記第２仕切体の双方の前記下端部よりも下方において前記衣服に取り付けられている
ことを特徴とする衣服のポケット構造。
【請求項２】
前記被覆体が、前記第２仕切体の全面を覆うように配置されていることを特徴とする請求項１に記載の衣服のポケット構造。
【請求項３】
前記第２収容部は、棒状の部材を挿入するために用いられることを特徴とする請求項１または２に記載の衣服のポケット構造。
【発明の詳細な説明】
【技術分野】
【０００１】
本発明は、衣服に付属するポケット構造に関する。
【背景技術】
【０００２】
各種衣類には、多くのポケットが設けられ、必要な物品を収納し携帯できるようになっている。特に、作業の際に身体や着衣を作業による汚染や衝撃から保護するために着用する各種作業着のような衣服には、各種作業内容に応じた複数の物品を所持、携帯しやすいように、複数の収納用のポケットが設けられている（特許文献１）。
【０００３】
ところで、このようなポケットが設けられた衣服を使用すると、ポケットの底部には糸くずや作業屑などのごみが蓄積することがある。このようなポケットの底部に蓄積されるごみは、ポケットを使用する際に携帯する物品や、物品の出し入れを行う身体（特に手）を汚染、損傷する恐れがあり、特に衛生面や安全性の観点で取り除かれることが望ましい。
【０００４】
そのため、通常は、積極的にポケットを裏返したり、洗濯したりするなどしてごみを取り除くのが一般的であるが、特許文献１で開示されているような衣服の場合、ポケットが小分けになっているため、通常の洗濯ではごみが十分に除去されず、ポケット毎にごみをかき出す必要があり、ごみの除去に要する作業負担が大きい。また、ポケットが、例えば細長い筒形状などの場合、ポケット底部のごみを取ることは実質的に難しく、ごみが蓄積する傾向にある。
【先行技術文献】
【特許文献】
【０００５】
【特許文献１】特開２００１−１３１８１５号公報
【発明の概要】
【発明が解決しようとする課題】
【０００６】
本発明は、上記実情に鑑みてなされたものであり、ごみを容易に排出し得る衣服のポケット構造を提供することを目的とする。
【課題を解決するための手段】
【０００７】
上記課題を解決するため、本発明は、
第１収容部を形成するための第１収容部形成用端部が衣服に直接又は間接的に取り付けられ、かつ下端部が開放された第１仕切体と、
第２収容部を形成するための第２収容部形成用端部が前記第１収容部形成用端部よりも内側で前記第１仕切体に直接又は間接的に取り付けられ、かつ下端部が開放された第２仕切体と、
前記第１仕切体および前記第２仕切体の双方の前記下端部を少なくとも覆うように配置された被覆体と、を備え、
前記被覆体は、その左右端部が前記第１収容部形成用端部と重なる位置または前記第１収容部形成用端部よりも外側で前記衣服に直接または間接的に取り付けられると共に、その下端部が前記第１仕切体および前記第２仕切体の双方の前記下端部よりも下方において前記衣服に取り付けられていることを特徴とする。
【０００８】
また、前記被覆体は、前記第２仕切体の全面を覆うように配置されていることが好ましい。
【０００９】
また、前記第２収容部は、棒状の部材を挿入するために用いられることが好ましい。
【発明の効果】
【００１０】
本発明のポケット構造によれば、ごみを容易に排出できる。
【図面の簡単な説明】
【００１１】
【図１】図１は、本発明の実施形態にかかるポケット１を有するナース服の概略正面図である。
【図２】図２は、図１のポケット１のＩ−Ｉ断面を示す概略断面図である。
【図３】図３は、図１のポケット１のＩＩ−ＩＩ断面を示す概略断面図である。
【図４】図４は、図１のポケット１の製造方法の一例を示す概略図である。
【図５】図５は、本発明のポケット構造の製造方法の他の一例である。
【図６】図６は、本発明のポケット構造の製造方法のさらに他の一例である。
【図７】図７（Ａ）〜（Ｅ）は、図１のポケット１のＩ−Ｉ断面におけるそれぞれ他の実施形態である。
【図８】図８（Ａ）および（Ｂ）は、図１のポケット１のＩＩ−ＩＩ断面におけるそれぞれ他の実施形態である。
【発明を実施するための形態】
【００１２】
本発明の好ましい実施形態について、図面を参照しながら説明する。なお、以下に示す実施形態は一つの例示であり、本発明の範囲において、種々の実施形態をとり得る。
【００１３】
図１は、本発明のポケット構造を有する衣服としてのナース服Ｗの概略正面図である。ナース服Ｗの前身頃には、ポケット構造として外付けのポケット１が設けられている。さらに、図２は、図１のポケット１のＩ−Ｉ断面を示す概略断面図あり、図３は、図１のポケット１のＩＩ−ＩＩ断面を示す概略断面図ある。
【００１４】
図２および３に示されるように、ポケット１は、第１仕切体としての布地１１と、第２仕切体としての布地１２と、被覆体としての布地１３を備えている。布地１１，１２，１３は、多数の繊維を薄く広い板状に加工したものであればよい。具体的には、布地１１，１２，１３を構成する繊維としては、例えば、綿やパルプ等の植物繊維や、絹糸や毛糸等の動物繊維、ポリエステルやナイロン等の化学繊維等が挙げられる。また、布地１１，１２，１３としては、例えば織物、編み物（メリヤス生地）、フェルトや不織布などであってもよい。また、布地１１，１２，１３は、布地に限られず、それぞれ、例えば樹脂製のシートなどであってもよい。また、布地１１，１２，１３は、全て同じ素材からなるものであってもよいし、それぞれ異なる素材からなるものであってもよい。
【００１５】
ポケット１の形状は、特に限定されず、収納する物品の形状や大きさ、量によって適宜選択すればよいが、例えば、図１に示されるようにポケット１の上部１０３から底部１０５に向かって長い形状（縦長形状）や、正方形などが挙げられる。
【００１６】
図２に示されるように、布地１１は、布地１１の左右端部１１１ａ，１１１ｂが布地１２および布地１３に包まれた状態で間接的にナース服Ｗに縫い付けられている。布地１１は、また、図３に示されるように、布地１１の上端部１１３および下端部１１５は、ナース服Ｗに縫い付けられておらず、開放されている。
【００１７】
このように取り付けられた布地１１によれば、ナース服Ｗとの間に、第１収容部としての主ポケット２１を形成できる。主ポケット２１は、布地１１の上端部１１３側に上開口部２１３を有し、布地１１の下端部１１５側に下開口部２１５を有している。
なお、図２において、布地１１の左右端部１１１ａ，１１１ｂは、主ポケット２１を形成するための主ポケット形成用の端部（以下、これを「主ポケット形成用端部」ともいう。）２１１ａ，２１１ｂでもある。
【００１８】
主ポケット２１は、図２および３に示されるようにポケット１の大きさおよび形状と対応した一つのポケットであることが好ましいが、必要に応じて中で仕切られていてもよい。
【００１９】
図２に示されるように、布地１２は、第２収容部としての副ポケット２２を形成するための副ポケット形成用の端部（以下、これを「副ポケット形成用端部」ともいう。）２２１ａ，２２１ｂ，２２１ｃ，２２１ｄで、直接的に布地１１に縫い付けられている。ここで、布地１２は、布地１１の左右端部１１１ａ，１１１ｂを包み込むと共に、布地１３に布地１１の左右端部１１１ａ，１１１ｂおよび布地１２の左右端部１２１ａ，１２１ｂが包み込まれた状態で、布地１３を介して間接的に布地１２がナース服Ｗに縫い付けられている。また、図３に示されるように、布地１２の上端部１２３および下端部１２５は、ナース服Ｗおよび布地１１のいずれにも縫い付けられておらず、開放されている。
【００２０】
このように取り付けられた布地１２によれば、布地１１との間に第２収容部としての副ポケット２２（２２ａ，２２ｂ，２２ｃ）が形成される。また、副ポケット２２（２２ａ，２２ｂ，２２ｃ）は、布地１２の上端部１２３側に上開口部２２３（２２３ａ，２２３ｂ，２２３ｃ）を、布地１２の下端部１２５側に下開口部２２５（２２５ａ，２２５ｂ，２２５ｃ）を、それぞれ有している。
【００２１】
副ポケット２２は、主ポケット２１に重なるように配置され、主ポケット２１よりも小さい。図２において副ポケット２２は、３つ（２２ａ，２２ｂ，２２ｃ）形成されているが、副ポケット２２の数や形状は限定されず、収納する物品の数や形状に応じて適宜選択できる。例えば、副ポケット２２は、棒状の部材を良好に収納する観点から、上開口部２２３から下開口部２２５に向かって細長い筒状を呈していることが好ましい。ここで、棒状の部材としては、例えば、ペン等の筆記具や、体温計等の医療器具が挙げられる。
【００２２】
図２に示されるように、布地１３は、布地１１の左右端部１１１ａ，１１１ｂおよび布地１２の左右端部１２１ａ，１２１ｂを包み込んだ状態で、左右端部１３１ａ，１３１ｂが、布地１１の左右端部１１１ａ，１１１ｂと重なる位置で、直接的にナース服Ｗに縫い付けられている。ここで、縫製糸４５は、布地１１、布地１２および布地１３を貫通して、これらの布地を一体としてナース服Ｗに取り付けている。また、図３に示されるように、布地１３の下端部１３５は、布地１１および布地１２の双方の下端部１１５，１２５よりも下方においてナース服Ｗに直接縫い付けられている。また、図１〜３では、布地１３は、布地１２の全面を覆うように取り付けられている。
【００２３】
このように取り付けられた布地１３によれば、布地１１および布地１２の下端部１１５，１２５よりも下方において、ナース服Ｗとの間に、主ポケット２１および副ポケット２２（２２ａ，２２ｂ，２２ｃ）と連通した連通空間２３Ｒを形成することができる。したがって、ポケット１では、布地１３の下端部１３５が、ポケット１全体の底部１０５となる。また、布地１１の左右端部１１１ａ，１１１ｂおよび布地１２の左右端部１２１ａ，１２１ｂを包み込んでいる布地１３のＵ字状部が、ポケット１の左右縁部１０１ａ，１０１ｂとなる。
【００２４】
＜ポケット１の製造方法＞
次に、図４に基づいて、ポケット１の製造方法について説明する。
まず、ナース服Ｗと、布地１３と、布地１２と、布地１３とをそれぞれ準備する。また、布地１１，１２，１３は、所定の生地から所定の大きさ、形状で裁断し、端部を必要に応じて処理しておく。処理方法は特に限定されないが、例えば折り返して縫い合わせる方法等がある。
【００２５】
次に、図４（Ａ）に示すように、布地１２と布地１３とを重ね合わせて、布地１２の上端部１２３および布地１３の上端部１３３に対応するそれぞれの端部を縫製糸４１で縫い合わせる（ステップ１）。このとき、布地１２および布地１３の生地に表裏がある場合には、布地１２の表面１２Ａおよび布地１３の表面１３Ａをそれぞれ対向させて縫い合わせることが好ましい。
【００２６】
次に、ステップ１で縫い合わせた布地１２および布地１３を、図４（Ｂ）に示すように、各布地１２，１３の表面１２Ａ，１３Ａが一連の平面になるように、縫製糸４１で縫い合わせた箇所で展開する。その後、一連の平面となった布地１２，１３の表面１２Ａ，１３Ａ上に布地１１を重ね合わせると共に、布地１１の左右端部１１１ａ，１１１ｂよりも内側の副ポケット形成用端部２２１ｃ，２２１ｄにおいて、布地１１と布地１２と縫製糸４３で縫い合わせて副ポケット２２ｂを形成する（ステップ２）。このとき、布地１１の生地に表裏がある場合には、布地１１の表面１１Ａを、布地１２の表面１２Ａと対向させて縫い合わせることが好ましい。
【００２７】
次に、図４（Ｃ）に示すように、布地１１と布地１２との縫製糸４３が隠れるように、布地１３の裏面１３Ｂと布地１２の裏面１２Ｂとを対向させて、布地１３を布地１２との縫い合わせ部分である縫製糸４１の位置で折り返し、ポケット構造体１０を形成する（ステップ３）。
【００２８】
最後に、図４（Ｄ）に示すように、ナース服Ｗの表面と布地１１の裏面１１Ｂとが対向すると共に、図１に示すナース服Ｗの肩部Ｗ３を上、該底部Ｗ５を下としたときに、ポケット構造体１０の上部１０３が上になるようにナース服Ｗの前身頃の所望の位置にポケット構造体１０を配置し、ポケット構造体１０の左右縁部１０１ａ，１０１ｂおよび底部１０５をナース服Ｗに縫い付け、これをもってポケット１がナース服Ｗに設けられる（ステップ４）。
【００２９】
ここまで、ナース服Ｗや各布地１１、１２、１３の取り付けは、縫製により行う場合を例に説明してきたが、取り付け方法は縫製に限定されず、例えば布用の接着剤を用いた接合や、生地が化学繊維からなる場合には融着等による接合等によって行うこともできる。
【００３０】
また、図４では、各布地１１、１２、１３を個別の部材として準備し、それぞれ縫い合わせているが、各布地を一枚の布地で縫い合わせて、必要に応じて裁断することによりポケット構造体１０を形成することも可能である。
【００３１】
例えば、図４（Ｂ）に示すような布地１２と布地１３を縫い合わせて一体化したものの代わりに、図５（Ａ）に示すような一枚の布地１５を用いてもよい。この場合、図４（Ａ）のように布地１２と布地１３を縫い合わせて一体化させる必要がなく、上述のステップ１を省略できる。なお、その後の工程は、上述のステップ２以降の工程と同様に行うことができる。また、布地１５の生地に表裏がある場合には、布地１５の表面１５Ａを、布地１１の表面１１Ａと対向させて縫い合わせることが好ましい。
【００３２】
また、別の一例としては、図４（Ａ）、（Ｂ）に示すような、個別に準備する各布地１１、１２、１３の代わりに、図６（Ａ）に示すような一枚の布地１６を用いてもよい。この場合も、図４（Ａ）のように、布地１２と布地１３を縫い合わせて一体化させる必要はなく、上述のステップ１を省略できる。さらに、この場合には、図４（Ｂ）や図５（Ａ）のように、個別に布地１１を準備する必要もない。
【００３３】
この方法では、図４（Ｂ）に示される各布地１１、１２、１３の配置関係に対応させて、図６（Ａ）に示されように一枚の布地１６を折り畳んで重ね合わせて配置する。その後、折り畳んで重ね合わせた布地１６を、副ポケット形成用端部２２１ｃ，２２１ｄにおいて、縫製糸４３で縫い合わせて副ポケット２２ｂを形成する。その後、布地１６の折り返し部分１６ａにできた輪を裁断することにより、上記で例示した図５（Ｂ）に示される布地１１および布地１５と同様の縫製状態を形成できる。なお、布地１６の折り返し部分１６ａを裁断した後の工程は、上述のステップ３以降の工程と同様に行うことができる。また、布地１６の生地に表裏がある場合には、布地１６の表面１６Ａ同士を互いに対向させて縫い合わせることが好ましい。
【００３４】
＜実施形態の効果＞
上述した構成によれば、ポケット１は、主ポケット２１と、副ポケット２２（２２ａ，２２ｂ，２２ｃ）を有するため、複数の物品を小分けにして収納できる。また、ポケット１は、主ポケット２１および副ポケット２２のそれぞれの下開口部２１５、２２５側に、これらに連通する大きな連通空間２３Ｒを有しているため、主ポケット２１および副ポケット２２に侵入したごみを連通空間２３Ｒで集約でき、さらに容易かつまとめて排出できる。
【００３５】
このような構成を持つポケット１によれば、主ポケット２１および副ポケット２２のそれぞれで個別にごみをかき出す必要がなく、連通空間２３Ｒを介してごみを容易に排出でき、主ポケット２１および副ポケット２２のそれぞれにごみが蓄積しないため、主ポケット２１および副ポケット２２の内部を安全かつ衛生的に維持できる。
【００３６】
さらに、ポケット１は、主ポケット２１の上開口部２１３の幅が、副ポケット２２の上開口部２２３よりも幅広（連通空間２３Ｒの幅と実質的に同じ）であることにより、副ポケット２２に侵入するごみを、連通空間２３Ｒを経由して、より幅広な開口を有する主ポケット２１の上開口部２１３から容易に排出できる。
【００３７】
ポケット１では、布地１３を布地１２の全面を覆うように配置することにより、副ポケット形成用端部２２１ｃ，２２１ｄを形成している縫製糸４３を、布地１３で隠すことができるためポケット１の外観性を向上できる。
【００３８】
ポケット１では、布地１３の左右端部１３１ａ，１３１ｂが、布地１１の左右端部１１１ａ，１１１ｂと重なる位置に配置されている。また、布地１２の副ポケット形成用端部２２１ａ，２２１ｂも、布地１１の左右端部１１１ａ，１１１ｂと重なる位置に配置されている。そのため、図４（Ｄ）に示されるように、ポケット構造体１０を左右縁部１０１ａ，１０１ｂにおいてナース服Ｗに縫い付けることで、布地１１、布地１２および布地１３をまとめて縫製できるため、縫製のための作業工程を簡素化でき、効率よく主ポケット２１および副ポケット２２を形成できる。
【００３９】
ポケット１は、布地１１の左右端部１１１ａ，１１１ｂを布地１２および布地１３で包み込むように配置することにより、ポケット１の左右縁部１０１ａ，１０１ｂの外観が良好となる。また、布地１１の左右端部１１１ａ，１１１ｂは、布地１２および布地１３で隠されるため、布地１１の左右端部１１１ａ，１１１ｂの裁断痕を始末しなくてもよい。
【００４０】
ポケット１の副ポケット２２は、例えば棒状の部材を挿入するために好適に用いることができる。すなわち、ポケット１の副ポケット２２は、下開口部２２５側で連通空間２３Ｒに連通しており、副ポケット２２に侵入したごみを連通空間に集積させることができる。そのため、ポケット１では、副ポケット２２が棒状の部材の収納に適した細長い筒状を呈していても、ごみの蓄積や排出の問題がない。
【００４１】
＜他の実施形態＞
以上説明したポケット構造は、本発明の一態様を示すものであって本発明を限定するものではなく、それぞれの実施形態は本発明の範囲内で任意に変更することが可能である。例えば、以下の形態が挙げられる、上述した形態および以下の形態は、その構成を適宜組み合わせてもよい。
【００４２】
例えば、ポケット１は、図７（Ａ）に示されるように、布地１１がナース服Ｗ上に直接縫いつけられていてもよい。
【００４３】
また、ポケット１は、図７（Ｂ）に示されるように、布地１２の副ポケット形成用端部２２１ａ，２２１ｂが、布地１１の左右端部１１１ａ，１１１ｂよりも内側で縫い付けられ、これにより副ポケット２２を形成していてもよい。
【００４４】
また、ポケット１は、図７（Ｃ）に示されるように、布地１３の左右端部１３１ａ，１３１ｂは、布地１１の左右端部１１１ａ，１１１ｂよりも外側でナース服Ｗに直接縫い付けられていてもよい。
【００４５】
また、ポケット１は、図７（Ｄ）に示されるように、布地１２が、布地１１の上に、さらに別の布地１７を介して間接的に配置されていてもよい。布地１７によれば、布地１１との間に、第３収容部２５を形成できる。第３収容部２５は、下方において、その底部が閉じられていてもよいし、連通空間２３Ｒへと連通するように底部が開放していてもよい。このような構成とすることにより多くの物品を収納できる。なお、図７（Ｄ）の場合、布地１２は、布地１７との間で副ポケット２２（２２ａ，２２ｂ，２２ｃ）を形成している。
【００４６】
また、ポケット１は、図７（Ｅ）に示されるように、布地１１の左右端部１１１ａ，１１１ｂに加えて、その内側に位置する主ポケット形成用端部２１１ｃにおいても、ナース服Ｗに縫いつけられていてもよい。このような構成によれば、ナース服Ｗと布地１１との間に、第１収容部２１ａ，２１ｂを形成することができる。ここで、布地１１の左右端部１１１ａ，１１１ｂは、主ポケット形成用端部２１１ａ，２１１ｂでもある。すなわち、第１収容部２１ａは、主ポケット形成用端部２１１ａ，２１１ｃで形成され、第１収容部２１ｂは主ポケット形成用端部２１１ｃ，２１１ｂで形成されている。
【００４７】
また、ポケット１は、図８（Ａ）に示すように布地１２および布地１３を個別の布地として、所定の関係で配置してもよい。図８（Ａ）の場合、布地１２と布地１３との間に、第４収容部２６が形成される。このような第４収容部２６は、上開口部２６３および下開口部２６５を有し、下開口部２６５側で連通空間２３Ｒと連通する。
【００４８】
また、ポケット１は、図８（Ｂ）に示すように互いに対向する布地１３の裏面１３Ｂと布地１２の裏面１２Ｂとを接着剤５０で接合させてもよい。このような構成とすることにより、布地１２と布地１３との間の空間に、ごみが侵入することを防止できる。なお、接着剤５０としては、例えば布用の各種接着剤を用いることができる。
【００４９】
また、ここまで衣服としてのナース服Ｗに、ポケット構造としてのポケット１を設ける場合を例に説明してきたが、衣服はナース服に限られず、白衣や、エプロン、各種作業着等であってもよい。特に本発明のポケット構造は、ポケット構造内にごみが蓄積され難く、ごみを排除し易い構造であるため、より衛生的な使用が求められるナース服や医療従事者の作業着等への適用が好適である。
【符号の説明】
【００５０】
１  ポケット（ポケット構造）
１０  ポケット構造体
１１  布地（第１仕切体）
１２  布地（第２仕切体）
１３  布地（被覆体）
２１  主ポケット（第１収容部）
２２  副ポケット（第２収容部）
２３Ｒ  連通空間
Ｗ  ナース服
【図１】
2018095985.tif 000003
【図２】
2018095985.tif 000004
【図３】
2018095985.tif 000005
【図４】
2018095985.tif 000006
【図５】
2018095985.tif 000007
【図６】
2018095985.tif 000008
【図７】
2018095985.tif 000009
【図８】
2018095985.tif 000010
【手続補正書】
【提出日】平成29年5月22日(2017.5.22)
【手続補正１】
【補正対象書類名】特許請求の範囲
【補正対象項目名】全文
【補正方法】変更
【補正の内容】
【特許請求の範囲】
【請求項１】
第１収容部を形成するための第１収容部形成用端部が衣服に直接又は間接的に取り付けられ、かつ下端部が開放された第１仕切体と、
第２収容部を形成するための第２収容部形成用端部が前記第１収容部形成用端部よりも内側で前記第１仕切体に直接又は間接的に取り付けられ、かつ下端部が開放された第２仕切体と、
前記第１仕切体および前記第２仕切体の双方の前記下端部を少なくとも覆うように配置された被覆体と、を備え、
前記被覆体は、前記第２仕切体の全面を覆うように配置され、その左右端部が前記第１収容部形成用端部と重なる位置または前記第１収容部形成用端部よりも外側で前記衣服に直接または間接的に取り付けられると共に、その下端部が前記第１仕切体および前記第２仕切体の双方の前記下端部よりも下方において前記衣服に取り付けられており、
前記第１仕切体、前記第２仕切体および前記被覆体は、一体として前記衣服の外側の表面に取り付けている
ことを特徴とする衣服の外付けポケット構造。
【請求項２】
前記被覆体は、その左右端部が前記第１収容部形成用端部と重なる位置で衣服に取り付けられていることを特徴とする請求項１に記載の衣服の外付けポケット構造。
【請求項３】
前記第１収容部および前記第２収容部はそれぞれ、上開口部を有し、
前記第１収容部の上開口部の幅は、前記第２収容部の上開口部の幅よりも幅広であることを特徴とする請求項１または２に記載の衣服の外付けポケット構造。
【請求項４】
前記第２収容部は、棒状の部材を挿入するために用いられることを特徴とする請求項１〜３のいずれか１項に記載の衣服の外付けポケット構造。
【請求項５】
前記衣服が、ナース服、白衣、エプロンおよび作業着のいずれか１つであることを特徴とする請求項１〜４のいずれか１項に記載の衣服の外付けポケット構造。
【請求項６】
前記被覆体と前記第２仕切体とは、互いに対向する面で、接着剤で接合されていることを特徴とする請求項１〜５のいずれか１項に記載の衣服の外付けポケット構造。